(57)【要約】【課題】  構造が簡単で、形状が異なる二種のカードを排出可能なイジェクト機構を備えるカード用コネクタを提供すること。【解決手段】  本発明のカード用コネクタは、コネクタ本体と、複数の導電端子と、コネクタ本体に組み付けられるフレームと、イジェクト機構と、を含む。前記フレームはカードを挿入する挿入口を有する収容空間を含み、収容空間の先端の側壁に取付溝が形成される。前記イジェクト機構は、前記フレームの側壁に配置される連動柄と、前記取付溝を通り抜ける排出レバーと、ばね体と、を含み、カードを収容空間に挿入する時、カードにより前記排出レバーが推進されることで、前記連動柄を挿入方向に沿って運動させるとともにばね体が弾性変形し、カードを排出する時、もう一度カードを前進させて、ばね体の回復力によりコネクタからカードを排出する。【選択図】  図５
2006236962.tif 000002
【特許請求の範囲】
【請求項１】
複数の端子通路を備えるコネクタ本体と、
前記コネクタ本体の端子通路内に装着される複数の導電端子と、
前記コネクタ本体に組み付けられ、カードを挿入する挿入口を有する収容空間を含み、収容空間の先端の側壁に取付溝が形成されるフレームと、
前記フレームの一側壁に組み付けられるイジェクト機構と、を含むカード用コネクタにおいて、
前記イジェクト機構は、
前記フレームの側壁に配置される連動柄と、
前記取付溝を通り抜ける排出レバーと、
ばね体と、を含み、
カードを収容空間に挿入する時、カードにより前記排出レバーが推進されることで、前記連動柄を挿入方向に沿って運動させるとともに前記ばね体が弾性変形し、カードを排出する時、もう一度カードを前進させて、前記ばね体の回復力によりコネクタから排出されることを特徴とするカード用コネクタ。
【請求項２】
前記カード用コネクタのフレームは、
主本体部と、
該主本体部の側縁から下向きに延在する各側壁と、
前記主本体部及び側壁からなる収容空間と、を含み、
前記収容空間は、
コネクタ本体に近接する先端と、
カードを挿入する挿入口と、
該挿入口に近接する後端と、を備え、
カードを挿入する方向で前記先端の幅が後端より広い、即ち、前記主本体部と収容空間との形状はＬ字形状を呈し、該収容空間はＬ字形状を呈するカード或は矩形形状を呈するカードを収容し得ることを特徴とする、請求項１に記載のカード用コネクタ。
【請求項３】
前記取付溝は、前記フレームの主本体部の両側の側壁にそれぞれ形成され、前記排出レバーが前記取付溝を通り抜け、且つ両取付溝間に運動可能であることを特徴とする、請求項１に記載のカード用コネクタ。
【請求項４】
前記連動柄の一端には、前記排出レバーを収容する開口が形成され、
前記排出レバーは、前記開口に収容される一端が軸支として前記連動柄に従って運動可能であることを特徴とする、請求項１に記載のカード用コネクタ。
【請求項５】
前記連動柄と排出レバーは一体に形成されることを特徴とする、請求項１に記載のカード用コネクタ。
【請求項６】
前記ばね体は、圧縮コイルバネであり、その一端が前記連動柄に係合することを特徴とする、請求項１に記載のカード用コネクタ。
【請求項７】
前記カード用コネクタは、前記フレームの両側にそれぞれ取り付けられる支持部材を含み、
前記イジェクト機構と同じ側に位置する支持部材には、末端で下向きに延在する垂直部片が形成され、前記圧縮コイルバネの他端が前記垂直部片に係合することを特徴とする、請求項６に記載のカード用コネクタ。
【請求項８】
前記イジェクト機構は、
心臓形状を呈するレールが形成されるベースと、
一端が前記心臓形状を呈するレールに摺動可能に取り付けられ、他端は前記連動柄に連接するスライド部材と、を含むことを特徴とする、請求項６に記載のカード用コネクタ。
【発明の詳細な説明】
【技術分野】
【０００１】
本発明は、カード接続に使用されるカード用コネクタ（以下単に「コネクタ」と略称することもある）に関し、特に、形状が異なるカードを排出できるイジェクト機構を有するカード用コネクタに関するものである。
【背景技術】
【０００２】
現在、パンコンの拡張可能性の要求を満足するために、近年のパンコソは、その内部の情報処理回路のバスに対して各種の機能拡張カードを着脱できる。このような機能拡張カードとして現在実用されているものとしては、例えば、情報処理回路の外部記憶媒体として用いられるＩＣカードやハードディスクカード、情報処理回路と通信網間の通信を仲介するＬＡＮ（ローカルエリアネットワーク）カードや、モデムカード、ＳＣＳＩインタフェースを内蔵したＳＣＳＩカード、デジタルカメラを内蔵したカメラカード等が列挙される。これらの機能拡張カードは、「ＰＣカード」と総称される。
【０００３】
現在、ＰＣカードの規格に関しては、ＰＣＭＣＩＡ（Ｐｅｒｓｏｎａｌ Ｃｏｍｐｕｔｅｒ Ｍｅｍｏｒｙ Ｃａｒｄ Ｉｎｔｅｒｎａｔｉｏｎａｌ Ａｓｓｏｃｉａｔｉｏｎ）の定める標準により、規格統一がなされている。また、ＰＣＭＣＩＡは、２００３年末に新しい規格に符合するＰＣカードとしてのエクスプレス（Ｅｘｐｒｅｓｓ）カードの規格が定められ、こうした規格のエクスプレスカードは、形状がＬ字形状或は矩形形状を呈する両種のタイプを備える。その中、矩形形状を呈するカードの幅は、Ｌ字形状を呈するカードの最小の幅と同じである。
【０００４】
前記エクスプレスカードを接続するのに用いられるコネクタは、コネクタ本体と、導電端子と、カードを収容するフレームと、カードを排出させるイジェクト機構と、を備え、前記フレームの構造がＬ字形状と矩形形状と、の二種の形状を有する。その中で、矩形形状を呈するフレームを備えるコネクタは、矩形形状を呈するカードのみを収容でき、Ｌ字形状を呈するフレームのコネクタはＬ字形状を呈するカードのみでなく、矩形形状を呈するカードをも収容できる。そこで、Ｌ字形状を呈するフレームを備えるコネクタが、優れた適合性のために広く使用されている。
【０００５】
Ｌ字形状を呈するフレームを備えるコネクタには、形状が異なる二種のカードが収容でき、そこで、該Ｌ字形状を呈するフレームを備えるコネクタには、形状が異なる二種のカードを排出できるイジェクト機構を配置することが必要である。従来技術の特許文献１に示す、カードコネクタは押棒（push button）式によって行うイジェクト機構を備え、この様式のイジェクト機構がコネクタ本体の側壁に配置されることで、カード用コネクタの寸法が増大する。エクスプレスカードの寸法は一般のＰＣカードより小さく、所定の寸法に限られることで、コネクタ本体にイジェクト機構を配置するには取付が難しいなどの技術的問題がある。
【０００６】
従来技術の特許文献２に示す、メモリカード用コネクタは、所謂、プッシュ・プッシュ操作によって行うイジェクト機構により、カードをコネクタから排出させる。通常、メモリカードの収容空間に配置されるスライド部材により、カードを排出することを達成できる。だが、エクスプレスカードの寸法は一般のメモリカードより大きく、エクスプレスカードが収容空間に配置されるスライド部材のみにより、カードをコネクタから安定して排出できない。
【特許文献１】米国特許第６，８４６，１９２号明細書
【特許文献２】米国特許第６，５７２，３９２号明細書
【発明の開示】
【発明が解決しようとする課題】
【０００７】
そこで、本発明は、以上の点に鑑みてなされたものであり、改良した新型のカード用コネクタを提供することを目的とする。
【０００８】
本発明は、構造が簡単で、形状が異なる二種のカードが排出できるイジェクト機構を備えるカード用コネクタを提供することを目的とする。
【課題を解決するための手段】
【０００９】
前記目的を達成するために、本発明のカード用コネクタは、複数の端子通路を備えるコネクタ本体と、前記コネクタ本体の端子通路内に装着される複数の導電端子と、コネクタ本体に組み付けられるフレームと、イジェクト機構と、を含む。前記フレームはカードを挿入する挿入口を有する収容空間を含み、収容空間の先端の側壁に取付溝が形成される。前記イジェクト機構は、前記フレームの側壁に配置される連動柄と、前記取付溝を通り抜ける排出レバーと、ばね体と、を含み、カードを収容空間に挿入する時、カードにより前記排出レバーが推進されることで、前記連動柄を挿入方向に沿って運動させるとともにばね体が弾性変形し、カードを排出する時、もう一度カードを前進させて、ばね体の回復力によりコネクタから排出される。
【発明の効果】
【００１０】
従来の技術に比べると、本発明は以下の長所がある。イジェクト機構がカード用コネクタのフレームの側壁に組み付けられ、構造が簡単で、形状が異なる二種のカードが排出できる。
【発明を実施するための最良の形態】
【００１１】
以下、本発明のカード用コネクタ（以下、単にコネクタという）の好ましい実施形態について、添付図面を参照して説明する。図１は、本発明の実施形態のコネクタ１の組合せ斜視図である。
【００１２】
まず、最初に図１を参照して、コネクタ１を説明する。コネクタ１は、絶縁材料で構成されるコネクタ本体１０、該コネクタ本体１０に装着される導電端子２０と、前記コネクタ本体１０の両側壁に設置される固持片３０と、前記コネクタ本体１０に取り付けられるフレーム５０と、該フレームの一方に摺動可能に装着されるイジェクト機構４０と、前記フレーム５０内に係合されるガイド部材６０と、前記フレーム５０の両側にそれぞれ組み付けられる一対の支持部材７０と、を有する。
【００１３】
次に、図２及び図３に示すように、コネクタ本体１０について詳細に説明する。該コネクタ本体１０は、矩形形状を呈する基部１１と、該基部１１の長手方向に延在する延長アーム１２と、前記基部１１の長手側から、一対の延長アーム１２の間に延在して形成される対接部１４と、を含んで、前記対接部１４には、該コネクタ本体１０を前後方向に貫通する複数の端子通路１４０が平行に形成される。前記基部１１の略中央部には凸状部片１３を突設形成し、前記各延長アーム１２の外側面には、固持溝１２０と、該固持溝１２０の両側に位置する係合孔１２２と、がそれぞれ形成される。
【００１４】
次に、図３と図４を参照して、導電端子２０について、詳細に説明する。該導電端子２０は、前記コネクタ本体２０に形成される複数の端子通路１４０に対応して装着され、各導電端子２０が、カード（図示せず）の導電パッドに接続する接続部２２と、回路基板に半田付けされる半田付け部２４と、前記コネクタ本体１０の端子通路１４０内に固持される固持部（参照符号なし）と、を備える。
【００１５】
次に、図３を参照して、固持片３０について詳細に説明する。該固持片３０は、前記コネクタ本体１０の固持溝１２０内に取り付けられ、前記固持溝１２０に保持される基体３１と、該基体３１から折曲延在して形成される固持脚３２と、を含んでいる。前記固持脚３２が回路基板の接地パッドに半田付けされ、接地されている。
【００１６】
次に、図３ないし図５を参照して、前記フレーム５０について詳細に説明する。該フレーム５０は金属板により構成されており、前記コネクタ本体１０に組み付けられ、Ｌ字形状を呈する主本体部５１と該主本体部５１の側縁から下向きに延在する複数の側壁と、を有し、該側壁等は前記主本体部５１の先端縁から下向きに延在する先端壁５２と、該先端壁５２の両側にそれぞれ位置する第１側壁５３及び第２側壁５４と、前記第１側壁５３に平行であり、且つ同側に位置する第３側壁５５と、前記第２側壁５４に平行であり且つ同側に位置する第４側壁５６と、前記第２側壁５４と第４側壁５６との間に位置し、前記先端壁５２に平行な縦横壁５７と、を含んでいる。該側壁等と主本体部５１とは、カードを収容できる収容空間５８を包囲して画成する。該収容空間５８はカードを挿入する挿入口（参照符号なし）を有し、Ｌ字形状を呈するカードと矩形形状を呈するカードと、を収容できる。
【００１７】
前記先端壁５２は、前記コネクタ本体１０の先端を覆って、前記主本体部５１と連通する箇所には、前記コネクタ本体１０の基部１１に形成される凸状部片１３に係合できる欠け口５２２が形成される。前記第１側壁及び第２側壁５３、５４は、前記コネクタ本体１０の延長アーム１２がそれぞれ覆い、前記固持溝１２０内に固持される固持片３０に接触する弾性アーム５３１(図５に示す)、５４１（図２に示す）と、前記コネクタ本体１０の係合孔１２２内に係合する係止片５３２（図５に示す）、５４２（図３に示す）と、をそれぞれ有する。前記第１側壁、第２側壁５３、５４の主本体部５１に近接する箇所には、前記イジェクト機構４０を取り付ける取付溝５３０、５４０がそれぞれ形成される。第２側壁５４には、縦横壁５７に近接する端に孔５４３が形成される。
【００１８】
また、前記第３側壁及び第４側壁５５、５６は垂直部５５０、５６０と、垂直部５５０、５６０から前記収容空間５８に向けて、折曲延在して形成される水平部４５１と、を有し、該垂直部５５０、５６０と、水平部５５１、５６１と、主本体部５１と、には、カードをコネクタ１へ挿入するのを導引する導引溝５５２、５６２が形成される。該導引溝５５２、５６２の水平部５５１、５６１には、カードをコネクタ１へ挿入する方向に沿って、複数の切り口５５４、５６４と、上向きに突設する凸片５５３、５６３と、が形成される。
【００１９】
また、前記縦横壁５７は、収容空間５８内に延在する弾性片５７０と、縦横壁５７の側縁から収容空間５８に向かって延在し、前記ガイド部材６０を受け入れる収容部５７１と、を有する。主本体部５１の両側縁（参照付号なし）には、前記導引溝５５２、５６２に形成される切り口５５４、５６４及び凸状部片５５３、５６３にそれぞれ対応する複数の切り口５１０と凸状部片５１１と、が形成され、該等凸状部片５１１と凸状部片５５３、５６３と、により、収容空間５８内に挿入されるカードが上下方向に揺れ動くことを制限できる。
【００２０】
また、フレーム５０は、前記主本体部５１の端縁（参照符号なし）に近接する箇所には、カードの接地パッド（図示せず）に接触する接触片５１２が設置されることにより、接地を行い、且つ、前記係止片５３２、５４２がコネクタ本体１０の係合孔１２２内に係合することで、該フレーム５０がコネクタ本体１０に取り付けられる。
【００２１】
次に、図３を参照して、ガイド部材６０について詳細に説明する。該ガイド部材６０は、三角形状を呈する本体６１と、該本体６１の一側縁（参照符号なし）から上向きに延在し、Ｌ字形状を呈する垂直壁６２と、を含む。該Ｌ字形状を呈する垂直壁６２は、前記本体６１に重なる部分が前記縦横壁５７の収容部５７１内に収容され、他部分が前記第２側壁５４内側に貼り付けられる。本体６１の前記第４側壁５６に貼り付ける外側縁６６には、前記凸状部片５６３の外面に押圧する複数の突出部片６７が形成される。Ｌ字形状を呈する垂直壁６２には、前記第２側壁５４の孔５４３に係合できる係合部片６３と、前記縦横壁５７の弾性片５７０に押圧される凹溝６４と、が形成される。
【００２２】
こうして、前記垂直壁６２の部分が収容部５７１内に収容され、且つ、前記弾性片５７０が垂直壁６２の凹溝６４に押圧されることにより、該ガイド部材６０が前記フレーム５０に固持される。また、Ｌ字形状を呈する垂直壁６２の前記第２側壁５４の内側に貼り付ける部分には、カードをコネクタ１に挿入する時、導引作用を与え、前記収容空間５８に向かうガイド溝６５が形成される。
【００２３】
次に、図５を参照して、支持部材７０について詳細に説明する。各支持部材７０は、前記フレーム５０の第３側壁及び第４側壁５５、５６にそれぞれ係止できる元本部７１と、該元本部７１から延在し、回路基板に半田付けされる水平の取付部７２と、を有し、また、前記イジェクト機構４０の同側に位置する支持部材７０は、垂直片７３が形成される。
【００２４】
次に、図５と図６を参照して、前記イジェクト機構４０について詳細に説明する。該イジェクト機構４０は、フレーム５０の第３側壁５５に組み付けられ、圧縮コイルバネ４１、心臓形状を呈するレール４２０が設けられるベース４２と、往復運動できる連動柄４３と、スライド部材４４と、排出レバー４５と、を有する。
【００２５】
前記圧縮コイルバネ４１は、一端が前記連動柄４３に係合し、他端が前記支持部材７０の垂直片７３に係合する。前記連動柄４３は、前記フレーム５０の側壁５５に配置され、前記スライド部材４４の一端が挿入される通孔４３１と、該通孔４３１から遠く離れる他端が前記排出レバー４５の折曲部４５０を収容する開口４３０と、が形成され、該連動柄４３は、前記ベース４２に形成される開口（図示せず）を通り抜けて前後方向に沿って運動できることで前記ベース４２に横設される。前記スライダ部材４４は、一端が前記心臓形状を呈するレール４２０に摺動可能に取り付けられ、他端が前記通孔４３１を貫通して前記連動柄４３に連接し、前記連動柄４３に連接することにより、前記連動柄４３の前後方向に沿う運動に従って、前記心臓形状を呈するレール内に摺動できる。前記排出レバー４５は、前記フレーム５０に形成される取付溝５３０、５４０を通り抜けて前記コネクタ本体１０とフレーム５０との間に位置し、且つ前記折曲部４５０が前記連動柄４３に形成される開口４３０内に挿入することにより前記連動柄４３に連接し、カードを排出するための延伸片４５１が形成される。
【００２６】
前記イジェクト機構４０は、所謂、プッシュ・プッシュ操作によって、カードを排出することを行い、前記排出レバー４５は、最初の位置で前記コネクタ本体１０の長手方向と所定の角度を成し、カードをコネクタ１に挿入する時、カードの先端が前進し排出レバー４５を回転させ、該排出レバー４５が前記連動柄４３に連接することで、連動柄４３を前記挿入方向とは反対方向に向かって回転させ、前記スライド部材４４は連動柄４３に連接することで、該連動柄４３の回転に従って前記心臓形状を呈するレール４２０の固持位置に摺動し、同時に前記圧縮コイルバネ４１が弾性変形し、カードと導電端子２０との間に導電的な接触が達成できる。
【００２７】
前記カードがコネクタ１から排出される時、もう一度カードを前進させて、前記スライド部材４４は前記心臓形状を呈するレール４２０の固持位置を超えてから、前記圧縮コイルバネ４１の回復力により、前記連動柄４３を通じて前記排出レバー４５を前記開口４３０に収容される折曲部４５０が回転させ、さらに、前記カードがコネクタ１から排出される。
【００２８】
該コネクタ１のフレーム５０の形状は、Ｌ字形状を呈することで、前記収容空間５８の形状がＬ字形も呈し、そこで、該収容空間５８内には、Ｌ字形を呈するカードと矩形状を呈するカードを収容し得る。前記収容空間５８は、カードを挿入する挿入口（参照符号なし）と、前記コネクタ本体１０に近接する先端（参照符号なし）と、該先端に相対し、前記挿入口に近接する後端（参照符号なし）と、を備え、且つ、先端の幅は、Ｌ字形状を呈するカードの最小の幅及び矩形形状を呈するカードの幅とほぼ同じであり、後端の幅は、前記Ｌ字形状を呈するカードの最大の幅とほぼ同じであり、即ち、収容空間５８の先端の寸法が後端の寸法より大きくなされている。矩形形状を呈するカードまたはＬ字形状を呈するカードに関わらず、前記コネクタ１内に挿入してから、前記イジェクト機構４０により安定して排出される。
【００２９】
以上、本発明について最良の実施形態を参照して詳細に説明したが、実施形態はあくまでも例示的なものであり、これらに限定されるものではない。また上述の説明において本発明に基づきなし得る細部の修正或は変更など、いずれも本発明の特許請求の範囲に属するものとする。
【図面の簡単な説明】
【００３０】
【図１】本発明に係るカード用コネクタと回路基板との組合せの斜視図である。
【図２】本発明に係るカード用コネクタのフレームがコネクタ本体に取り外す分解斜視図である。
【図３】本発明に係るカード用コネクタの分解斜視図である。
【図４】本発明に係るカード用コネクタの底面から見た斜視図である。
【図５】本発明に係るカード用コネクタのイジェクト機構とフレームとの斜視図である。
【図６】本発明に係るカード用コネクタのイジェクト機構の分解斜視図である。
【符号の説明】
【００３１】
１  カード用コネクタ
１０  コネクタ本体
１１  基部
１２  延長アーム
１３  凸塊
１４  対接部
２０  導電端子
２２  接続部
２４  半田付け部
３０  固持片
３１  基体
３２  固持脚
４０  イジェクト機構
４１  ばね体（圧縮コイルバネ）
４２  ベース
４３  連動柄
４４  スライド部材
４５  排出レバー
５０  フレーム
５１  主本体部
５２  先端壁
５３  第１側壁
５４  第２側壁
５５  第３側壁
５６  第４側壁
５７  縦横壁
５８  収容空間
６０  ガイド部材
６１  本体
６２  垂直壁
６３  係合塊
６４  凹溝
６５  ガイド溝
６６  側縁
６７  突出塊
７０  支持部材
７１  元本部
７２  取付部
７３  垂直片
【図１】
2006236962.tif 000003
【図２】
2006236962.tif 000004
【図３】
2006236962.tif 000005
【図４】
2006236962.tif 000006
【図５】
2006236962.tif 000007
【図６】
2006236962.tif 000008